(57)【要約】【課題】  この発明は、輪郭の凹凸により構成される躯体形状による水平方向の連結と垂直方向を固定する事が出来る凹凸部材を合成し、同時形成された安全で作業性が良く、施工費用の掛からない安価な連節式ブロックマットの開発・提供する事にある。【解決手段】  この発明のブロックマットは、垂直方向の凹凸ヒンジ係止部をそれぞれ有するブロック本体と、繊維シート又はゴムシート等のシート部材で構成され、且つ、輪郭の凹凸により構成される躯体形状による水平方向の連結と、垂直方向の離脱防止用嵌着型凹凸ヒンジ係止部を合成し、且つ、同時形成して設けた事を特徴とする連節式ブロックマットから構成される。【選択図】  図１
2006045990.tif 000002
【特許請求の範囲】
【請求項１】
主に河川の護岸等に使用する連結・連節ブロック及びブロックマットであって、該ブロックマットは、垂直方向の凹凸ヒンジ係止部（１ｃ）（２）をそれぞれ有するブロック本体（１）と、繊維シート又はゴムシート等のシート部材（３）で構成され、且つ、輪郭の凹凸により構成される躯体形状による水平方向の連結と、垂直方向の離脱防止用嵌着型凹凸ヒンジ係止部（１ｃ）（２）を合成し、且つ、同時形成して設けた事を特徴とする連節式ブロックマット。
【請求項２】
ブロックマットは、繊維シート又はゴムシート等のシート部材（３）の同一面上に配置されたブロック本体（１）の底面と繊維シート又はゴムシート等のシート部材（３）を接着剤等の係着手段（Ｇ）で係着し一体化され、且つ、コンクリート又はプラスチック等で構成される輪郭の凹凸部（１ａ）（１ｂ）により継手を形成し、且つ、水平方向に相互に噛み合い、１箇所以上にほぼ全円を形成する二つの凸部（１ｂ）（１ｂ）に挟まれた１箇所以上のほぼ全円凹部（１ａ）で形成される事により複数のブロック本体（１）が連結され、且つ、該ブロック本体（１）の底面から上面間に支点となる凹凸ヒンジ係止部（１ｃ）（２）を設ける事により、鉛直方向の固定を可能にし、曲面及び折れ面での敷設対応を可能とした請求項１記載の連節式ブロックマット。
【請求項３】
複数のブロックを敷設した状態において、水平方向の輪郭凹凸（１ａ）（１ｂ）継手及び鉛直方向凹凸ヒンジ係止部（１ｃ）（２）の固定を可能とし、敷設作業の簡易化及び小型ブロックから大型ブロックまで、曲面及び折れ面敷設型で対応可能にした事を特徴とする請求項１及び２記載の連節式ブロックマット。
【発明の詳細な説明】
【技術分野】
【０００１】
この発明は、主に河川の護岸等に使用する連節式ブロックマットに関するものである。
【背景技術】
【０００２】
従来、護岸・河川堤防・道路・造成等の法面及び斜面の保護工事には、通常、育成基盤材・植生人口張芝等による法面緑化工及び張りブロック・格子枠ブロック（コンクリート・鉄・樹脂製）等が用いられている。
【０００３】
又、育成基盤材・植生人口張芝等は、緑化基盤材（種子吹付）・植生筋芝・植生張芝を施工現場の法面成形地盤面に対し直接施工が一般的である。
【０００４】
そして、この直接施工は、安価ではあるが施工直後の直接降雨による育成基盤材等の流出又は気象条件等により植生効果が不安定であり、繰り返し植生工を行う場合がある。又、地表面の侵食があり再成形等の補修を行う場合がある。
【０００５】
又、張りブロック・格子枠ブロックは、各製品が分割して製造された後、施工現場に運搬され敷設面において組立施工するのが一般的である。
【０００６】
この組立施工では、クレーン等により施工箇所に搬送された後、斜面上で作業が行われ敷設作業は長時間斜面上で安全ロープ等を装備して作業を行う為、危険、且つ、労力と時間を割いている。
【０００７】
又、法面の斜面肩部と水平部との連結性が無く、製品の斜面上での滑動を抑制する場合、斜面肩水平部を杭打ち等で行う安定方法が一般的であるが、張りブロック・格子枠ブロックの場合は独立した各ブロック及び各格子枠に抑制杭打ち等を必要とし、安定用抑制杭打ちが多数必要となる為、安全性・作業性・経済性面で問題があった。
【０００８】
そこで、これまでに出願されているブロックマットの特許文献を参考の為に紹介する。（特許文献１〜２参照。）
【特許文献１】特開平１１−３０３０８６
【特許文献２】特開平８−１５５９３３
【０００９】
従って、これからのブロック安定方法は、抑制杭打ちの必要の無いブロック又は施工方法を考案・発明し、安全で作業性が良く、施工費用の掛からない安価なブロック及びブロックマットの開発が望まれる。
【発明の開示】
【発明が解決しようとする課題】
【００１０】
そこで、上記課題を解決する為に、この発明は、輪郭の凹凸により構成される躯体形状による水平方向の連結と垂直方向を固定する事が出来る凹凸部材を合成し、同時形成された安全で作業性が良く、施工費用の掛からない安価な連節式ブロックマットの開発・提供する事にある。
【課題を解決するための手段】
【００１１】
この課題を解決する為の手段として、この発明のブロックマットは、垂直方向の凹凸ヒンジ係止部をそれぞれ有するブロック本体と、繊維シート又はゴムシート等のシート部材で構成され、且つ、輪郭の凹凸により構成される躯体形状による水平方向の連結と、垂直方向の離脱防止用嵌着型凹凸ヒンジ係止部を合成し、且つ、同時形成して設けた事を特徴とする連節式ブロックマットから構成される。
【００１２】
又、ブロックマットは、繊維シート又はゴムシート等のシート部材の同一面上に配置されたブロック体の底面と繊維シート又はゴムシート等のシート部材を接着剤等の係着手段で係着し、且つ、一体化され、且つ、コンクリート又はプラスチック等で構成される輪郭の凹凸部により継手を形成し、且つ、水平方向に相互に噛み合い、１箇所以上にほぼ全円を形成する二つの凸部に挟まれた１箇所以上のほぼ全円凹部で形成される事により複数のブロック体が連結され、且つ、該ブロック体の底面から上面間に支点となる凹凸ヒンジ係止部を設ける事により、鉛直方向の固定を可能にし、曲面及び折れ面での敷設対応を可能とした連節式ブロックマットから構成される。
【００１３】
又、複数のブロックを敷設した状態において、水平方向の輪郭凹凸継手及び鉛直方向凹凸ヒンジ係止部の固定を可能とし、敷設作業の簡易化及び小型ブロックから大型ブロックまで、曲面及び折れ面敷設型で対応可能にした事を特徴とする連節式ブロックマットから構成される。
【発明の効果】
【００１４】
この発明の効果として、輪郭の凹凸により構成される躯体形状による水平方向の連結と垂直方向を固定する事が出来る凹凸部材を合成し同時形成する事で、曲面及び折れ面での敷設対応が可能と成り、単体ブロックでのめくれ及び浮き上がり防止が可能と成る。又、敷設時の位置合わせが容易に成り、簡易に施工が出来る。
【００１５】
又、施工に関しても、杭打ち作業が不要に成り、且つ、凹凸ヒンジ係止部を設ける事で位置決めが容易で簡易に施工が出来、効率的で施工時間が短縮出来る為、極めて大幅なコスト低減が可能となる。
【００１６】
又、凹凸ヒンジ係止部にプラスチック等の樹脂部材を同時使用する事で、係止部と繊維又はゴムシート間の接着効果が増し、小型コンクリート製品においても、ヒンジ構成が可能と成り、更に、係止部に再生プラスチック等の樹脂部材を使用すれば、リサイクル対応品として利用出来る等、極めて有益なる効果を奏するものである。
【発明を実施するための最良の形態】
【００１７】
この発明の最良の形態として、ブロックの大きさ（寸法・形状）や使用場所に応じた材質及び凹凸ヒンジ係止部の位置・寸法設定をする事が重要である。
【実施例１】
【００１８】
そこで、この発明の一実施例を図１〜図３に基づいて詳述すると、ブロックマットは、垂直方向の凹凸ヒンジ係止部（１ｃ）（２）をそれぞれ有するブロック本体（１）と、繊維シート又はゴムシート等のシート部材（３）で構成され、且つ、輪郭の凹凸により構成される躯体形状による水平方向の連結と、垂直方向の離脱防止用嵌着型凹凸ヒンジ係止部（１ｃ）（２）を合成し、且つ、同時形成して設けた事を特徴とする連節式ブロックマットから構成される。
【００１９】
又、ブロックマットは、繊維シート又はゴムシート等のシート部材（３）の同一面上に配置されたブロック本体（１）の底面と繊維シート又はゴムシート等のシート部材（３）を接着剤等の係着手段（Ｇ）で係着し、且つ、一体化され、且つ、コンクリート又はプラスチック等で構成される輪郭の凹凸部（１ａ）（１ｂ）により継手を形成し、且つ、水平方向に相互に噛み合い、１箇所以上にほぼ全円を形成する二つの凸部（１ｂ）（１ｂ）に挟まれた１箇所以上のほぼ全円凹部（１ａ）で形成される事により複数のブロック本体（１）が連結され、且つ、該ブロック本体（１）の底面から上面間に支点となる凹凸ヒンジ係止部（１ｃ）（２）を設ける事により、鉛直方向の固定を可能にし、曲面及び折れ面での敷設対応を可能とした連節式ブロックマットから構成される。
【００２０】
又、複数のブロックを敷設した状態において、水平方向の輪郭凹凸（１ａ）（１ｂ）継手及び鉛直方向凹凸ヒンジ係止部（１ｃ）（２）の固定を可能とし、敷設作業の簡易化及び小型ブロックから大型ブロックまで、曲面及び折れ面敷設型で対応可能にした事を特徴とする連節式ブロックマットから構成される。
【００２１】
次に、ブロックマットの施工方法に関して詳述すると、例えば法面の斜面に敷設する場合は、図４に示す様に、予め斜面の下方部へ斜面に沿って繊維シート又はゴムシートを敷設し、次にブロック本体（１）の係止部（２）が上側に成る様にして、斜面の下方端部から水平方向に向けて順番に並設していき、上方向に向けて徐々に係止部（１ｃ）と係止部（２）を噛み合わせながら連設していく。そして、更に横又は上方向に向けて延長する場合はシート（３）の余白部分に新たにシートを重合させてその上にブロックを載せて連節していく。
【００２２】
又、曲面及び折れ面の有る場所での施工方法に関しては、図５に示す様にブロックの係止部を曲面及び折れ面に沿わせながら敷設していく。
【００２３】
又、図１に示すブロック本体（１）の面取部（１ｅ）は、曲面及び折れ面のある場所に施工した場合、ブロックの角部が出っ張らない様に配慮したものである。
【００２４】
又、ブロック本体（１）の中央部２ヶ所に設けた円形穴部（１ｄ）は、敷設部全体に植生・緑化が施され自然景観の維持が図れる様にしたものである。
【産業上の利用可能性】
【００２５】
この発明の連節式ブロックマットは、水平方向の連結と垂直方向を固定可能にする事で、敷設時の位置合わせが容易に成り、且つ、曲面及び折れ面での敷設対応が可能に成る事で土木建設市場に寄与する点で、産業上の利用可能性を有する。
【図面の簡単な説明】
【００２６】
【図１】この発明の一実施例を示し、（Ａ）は平面図で、（Ｂ）は正面図である。
【図２】この発明の一実施例を示し、（Ａ）は図１（Ｂ）の右側面図で、（Ｂ）は図１（Ａ）のａ−ａ矢視断面図で、（Ｃ）は図１（Ａ）のｂ−ｂ矢視断面図である。
【図３】この発明の一実施例を示し、（Ａ）はブロックマットの平面図で、（Ｂ）は正面視断面図で、（Ｃ）は（Ｂ）のａ部拡大詳細図である。
【図４】この発明の使用例を示し、斜面使用時の斜視図である。
【図５】この発明の使用例を示し、折れ面使用時の局部断面図である。
【符号の説明】
【００２７】
１  ブロック本体
１ａ  凹部
１ｂ  凸部
１ｃ  係止部
１ｄ  円形穴部
１ｅ  面取部
２  係止部
３  シート部材
Ｇ  係着手段
【図１】
2006045990.tif 000003
【図２】
2006045990.tif 000004
【図３】
2006045990.tif 000005
【図４】
2006045990.tif 000006
【図５】
2006045990.tif 000007